(57)【要約】【課題】呼吸補助装置の吐出圧パターンを、より患者に適した吐出圧パターンに設定する。 【解決手段】患者の呼吸を補助する呼吸補助装置１において、患者への呼吸補助装置１の使用に先立って呼吸補助装置１から発生させる気体の圧力波形のパターンとして吐出圧パターンを設定する際に、変更前後の吐出圧パターンＷ１，Ｗ２の波形を、呼吸補助装置１の表示装置３の表示画面に表示することが可能な構成にした。これにより、操作者は、患者に適した吐出圧パターンを設定する際に、変更前後の吐出圧パターンＷ１，Ｗ２を目視的に把握および比較することができるので、どのように吐出圧パターンを変更（修正）すれば、患者に適した吐出圧パターンになるかを容易に認識することができる。【選択図】図２
2016123555.tif 000002
【特許請求の範囲】
【請求項１】
吐出圧パターンのデータに基づいて吸気となる気体を吐出する気体吐出手段と、
前記吐出圧パターンの波形を表示する表示手段と、
前記吐出圧パターンのデータに基づいて前記気体吐出手段の制御を行うとともに、前記吐出圧パターンの設定時に吐出圧パターンの変更前後の波形を前記表示手段に表示する制御を行う制御手段と、
を備えることを特徴とする呼吸補助装置。
【請求項２】
前記気体吐出手段は、
前記気体を送り出す送風手段と、
前記送風手段の下流に設置され、前記送風手段から吐出される気体の状態を制御する気体制御手段と、
を備えることを特徴とする請求項１記載の呼吸補助装置。
【請求項３】
前記送風手段から送り出された気体の圧力を検出する第１の検出手段と、
前記気体制御手段の下流の気体の流量を検出する第２の検出手段と、
前記第２の検出手段の下流の気体の圧力を検出する第３の検出手段と、
を備え、
前記制御手段は、前記吐出圧パターンのデータと、前記第１の検出手段、前記第２の検出手段および前記第３の検出手段の検出データとに基づいて、前記送風手段、前記気体制御手段またはその両方の動作を制御することにより、前記気体吐出手段から吐出される気体の吐出状態を制御することを特徴とする請求項２記載の呼吸補助装置。
【請求項４】
前記制御手段は、前記吐出圧パターンの全体の波形、前記吐出圧パターンの波形の立ち上がり時間またはその両方を変更することで、前記吐出圧パターンを変更する制御を行うことを特徴とする請求項１〜３のいずれか１項に記載の呼吸補助装置。
【請求項５】
前記制御手段は、前記吐出圧パターンの変更前後の波形を並列または重ねた状態で前記表示手段に表示することを特徴とする請求項１〜４のいずれか１項に記載の呼吸補助装置。
【発明の詳細な説明】
【技術分野】
【０００１】
本発明は、呼吸補助装置に関するものである。
【背景技術】
【０００２】
入院患者に対する医療用として、あるいは一般家庭での在宅医療用などとして、患者の呼吸を補助するための様々な呼吸補助装置が使用されている。この呼吸補助装置から発生させる気体の圧力波形が患者に適した波形になるように、その圧力波形のパターン（以下、吐出圧パターンという）を設定している。この吐出圧パターンの設定に際しては、呼吸補助装置を実際に駆動（運転）し、その時の患者の全身の酸素化の改善、組織の虚血進行の軽減、および患者の苦痛や不快感などの意見により、吐出圧パターンの波形を変更(修正)することで患者に最適な吐出圧パターンを決定している。吐出圧パターンの波形の変更（修正）は、吐出圧パターンの波形の立ち上がり時間（以下、ライズタイムという）などを変更することで行っており、ライズタイムの変更は、ライズタイムに対応する数値を選択することで行っている。なお、呼吸補助装置については、例えば、特許文献１〜３に開示がある。
【先行技術文献】
【特許文献】
【０００３】
【特許文献１】特開２０１３−１４４１７８号公報
【特許文献２】特開２０１４−１３３１６６号公報
【特許文献３】特開２０１４−１５１１０４号公報
【発明の概要】
【発明が解決しようとする課題】
【０００４】
ところで、ライズタイムに対応する数値を選択することによりライズタイムを変更して吐出圧パターンの波形を変更する場合、吐出圧パターンの変更の前後で波形の変化が分かり難い。そのため、患者に適した吐出圧パターンにするために、どのように吐出圧パターンの波形を変更（修正）したら良いかかが分かり難い。このため、吐出圧パターンの設定に際しては、ライズタイムに対応する数値選択を繰り返し、患者の状態に適した吐出圧パターンに設定するために過多の時間を要し、患者、および医療機関にかなりの負担をかけるという問題がある。また、患者の病状に適した吐出圧パターンを選択した場合でも、患者の呼吸に対する苦痛や不快感の改善に繋がらないことがある。
【０００５】
本発明は、上述の技術的背景からなされたものであって、呼吸補助装置の吐出圧パターンを、より患者に適した吐出圧パターンに短時間で設定することを可能とする技術を目的とする。
【課題を解決するための手段】
【０００６】
上記課題を解決するため、請求項１に記載の本発明の呼吸補助装置は、吐出圧パターンのデータに基づいて吸気となる気体を吐出する気体吐出手段と、前記吐出圧パターンの波形を表示する表示手段と、前記吐出圧パターンのデータに基づいて前記気体吐出手段の制御を行うとともに、前記吐出圧パターンの設定時に吐出圧パターンの変更前後の波形を前記表示手段に表示する制御を行う制御手段と、を備えることを特徴とする。
【０００７】
請求項２に記載の発明は、上記請求項１に記載の発明において、前記気体吐出手段は、前記気体を送り出す送風手段と、前記送風手段の下流に設置され、前記気体吐出手段から吐出される気体の状態を制御する気体制御手段と、を備えることを特徴とする。
【０００８】
請求項３に記載の発明は、上記請求項２に記載の発明において、前記送風手段から送り出された気体の圧力を検出する第１の検出手段と、前記気体制御手段の下流の気体の流量を検出する第２の検出手段と、前記第２の検出手段の下流の気体の圧力を検出する第３の検出手段と、を備え、前記制御手段は、前記吐出圧パターンのデータと、前記第１の検出手段、前記第２の検出手段および前記第３の検出手段の検出データとに基づいて、前記送風手段、前記気体制御手段またはその両方の動作を制御することにより、前記気体吐出手段から吐出される気体の吐出状態を制御することを特徴とする。
【０００９】
請求項４に記載の発明は、上記請求項１〜３のいずれか１項に記載の発明において、前記制御手段は、前記吐出圧パターンの全体の波形、前記吐出圧パターンの波形の立ち上がり時間またはその両方を変更することで、前記吐出圧パターンを変更する制御を行うことを特徴とする。
【００１０】
請求項５に記載の発明は、上記請求項１〜４のいずれか１項に記載の発明において、前記制御手段は、前記吐出圧パターンの変更前後の波形を並列または重ねた状態で前記表示手段に表示することを特徴とする。
【発明の効果】
【００１１】
本発明によれば、呼吸補助装置の吐出圧パターンを、より患者に適した吐出圧パターンに短時間で設定することが可能になる。
【図面の簡単な説明】
【００１２】
【図１】本発明の一実施の形態に係る呼吸補助装置の外観を示す斜視図である。
【図２】図１の呼吸補助装置を構成する表示装置の表示画面の一例の平面図である。
【図３】（ａ），（ｂ）はライズタイムを説明するための吐出圧パターンの一例の波形図である。
【図４】（ａ），（ｂ）は各種の吐出圧パターンの一例の波形図である。
【図５】図１の呼吸補助装置の概略構成図である。
【図６】図５の呼吸補助装置の要部の回路ブロック図である。
【図７】フォールタイムを説明するための吐出圧パターンの一例の波形図である。
【発明を実施するための形態】
【００１３】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１４】
まず、本実施の呼吸補助装置１の外観構成について図１を参照して説明する。図１は本実施の形態における呼吸補助装置の外観を示す斜視図である。
【００１５】
本実施の形態の呼吸補助装置１は、呼吸器疾患や神経筋疾患等により換気補助が必要な患者に対して家庭内で換気補助を行うための装置である。呼吸補助装置１を構成する筐体２は、例えばプラスチックからなり、その外形は、例えば扁平な略直方体状に形成されている。呼吸補助装置１の外寸は、家庭内で使用可能な大きさに形成されており、特に限定されるものではないが、呼吸補助装置１の筐体２の長さ（長手方向の寸法）は、例えば２２０ｍｍ程度、筐体２の幅（長手方向に直交する短方向の寸法）は、例えば１４０ｍｍ程度、筐体２の厚さは、例えば１７４ｍｍ程度である。
【００１６】
呼吸補助装置１の筐体２の表面（図１において上面）には、表示装置（表示手段）３が目視可能な状態で設置されている。表示装置３は、呼吸補助装置１の操作状況やメッセージ等の他、吐出圧パターンの波形を表示する装置であり、例えば、タッチパネル型の液晶ディスプレイ（Ｌｉｑｕｉｄ  Ｃｒｙｓｔａｌ  Ｄｉｓｐｌａｙ：ＬＣＤ）により形成されている。呼吸補助装置１の筐体２の長手方向の一端面には吐出口４が設けられている。吐出口４は、呼吸補助装置１で生成された気体（空気など、患者にとって吸気となる気体）を吐出する開口部である。
【００１７】
次に、呼吸補助装置１の表示装置３について図２〜図４を参照して説明する。図２は呼吸補助装置を構成する表示装置の表示画面の一例の平面図、図３（ａ），（ｂ）はライズタイムを説明するための吐出圧パターンの一例の波形図、図４（ａ），（ｂ）は各種の吐出圧パターンの一例の波形図である。
【００１８】
図２に示すように、本実施の形態の呼吸補助装置１においては、表示装置３の表示画面に、変更前の吐出圧パターンＷ１と、変更後の吐出圧パターンＷ２との両方を並べて表示することが可能な構成になっている。吐出圧パターンＷ１，Ｗ２は、その時間軸ｔが平行になるように並んで配置されている。これにより、吐出圧パターンＷ１，Ｗ２を視覚的に把握することができるとともに、互いの波形形状を比較検討することができるので、変更前後の吐出圧パターンの差を容易に把握することができる。
【００１９】
ただし、吐出圧パターンの配置状態は、上記のものに限定されるものではなく種々変更可能であり、例えば、吐出圧パターンＷ１，Ｗ２の時間軸ｔを一致させて吐出圧パターンＷ１，Ｗ２を重ねて表示させても良い。また、表示装置３の表示画面を２つに分割して配置し、その各々に吐出圧パターンＷ１，Ｗ２を表示させても良い。なお、変更前の吐出圧パターンは、変更後の吐出圧パターンの１つ前の吐出圧パターンは勿論のこと１つ以上前の吐出圧パターンを表示することが可能な構成になっている。
【００２０】
また、表示装置３の表示画面において、変更前後の吐出圧パターンＷ１，Ｗ２の下側には、左から順に、戻るボタンＢｂ、ライズタイム選択ボタンＢｒ、呼吸波形選択ボタンＢｔ、決定ボタンＢｅおよび運転ボタンＢｄが配置され、変更前後の吐出圧パターンＷ１，Ｗ２の右側には、変更前の吐出圧パターンＷ１の波形種類の表示欄Ｄｂｔおよびライズタイムの表示欄Ｄｂｒと、変更後の吐出圧パターンＷ２の波形種類の表示欄Ｄａｔおよびライズタイムの表示欄Ｄａｒとが配置されている。
【００２１】
戻るボタンＢｂは、呼吸補助装置１の各種操作を１つ前の操作に戻すためのタッチボタンである。決定ボタンＢｅは、各種操作を実行するためのタッチボタンである。運転ボタンＢｄは、呼吸補助装置１の駆動の開始および停止を実行するためのタッチボタンである。
【００２２】
ライズタイム選択ボタンＢｒは、吐出圧パターンのライズタイムを選択するためのタッチボタンである。吐出圧パターンのライズタイムは、それに対応する数値をライズタイム選択ボタンＢｒで選択し、決定ボタンＢｅで決定することで設定される。ライズタイムに対応する数値は、ライズタイム選択ボタンＢｒを押す度に増え、数値が最大に達すると最小の数値に戻るようになっている。また、戻るボタンＢｂを押すことでライズタイムに対応する数値を１つ前の数値に戻すこともできる。ライズタイム選択ボタンＢｒで選択された数値は、表示装置３の表示画面右側の上記したライズタイムの表示欄Ｄｂｒ，Ｄａｒに表示される。
【００２３】
ここで、図３（ａ）に示すように、吐出圧パターンＷのライズタイムＴｒは、吐出圧パターンＷの波形の立ち上がり時間であって、呼気圧（ＥＰＡＰ）から吸気圧（ＩＰＡＰ）に達する時間を言う。この吐出圧パターンＷのライズタイムＴｒは、それに対応する数値を増やすほど長くなるようになっている。例えば、図３（ｂ）に示すように、「ライズタイム：３」に設定した吐出圧パターンＷ３のライズタイムＴｒ３の方が、「ライズタイム：２」に設定した吐出圧パターンＷ４のライズタイムＴｒ２よりも長くなる。
【００２４】
図２に示す呼吸波形選択ボタンＢｔは、吐出圧パターンの全体波形の種類を選択するためのタッチボタンである。吐出圧パターンの波形種類は、呼吸波形選択ボタンＢｔで選択し、決定ボタンＢｅで決定することで設定される。吐出圧パターンの各種の波形は、呼吸波形選択ボタンＢｔを押す度に表示画面に表示され、一巡すると元の波形に戻るようになっている。また、戻るボタンＢｂを押すことで吐出圧パターンの波形を１つ前の波形に戻すこともできる。呼吸波形選択ボタンＢｔで選択された波形種類を示す記号や番号等は、表示装置３の表示画面右側の上記した波形種類の表示欄Ｄｂｔ，Ｄａｔに表示される。
【００２５】
吐出圧パターンの波形の種類には、例えば、図４（ａ）に示すように、第１の気体圧で所定時間維持した後に第１の気体圧より高い第２の気体圧に上昇させ、これを所定時間維持した後に第１の気体圧に下降させる基本的な波形の吐出圧パターンＷ５の他、例えば、図４（ｂ）に示すように、気体圧の上昇時の圧力を階段状に変化させる波形の吐出圧パターンＷ６等がある。
【００２６】
なお、上記の例においては、表示装置３をタッチパネル型のＬＣＤで構成し、表示装置３の表示画面内に各種の操作ボタン（戻るボタンＢｂ、ライズタイム選択ボタンＢｒ、呼吸波形選択ボタンＢｔ、決定ボタンＢｅおよび運転ボタンＢｄ等）を設けた場合について説明したが、これに限定されるものではなく、例えば、表示装置３をタッチパネル型でないＬＣＤで構成し、呼吸補助装置１の筐体２の表面に、戻るボタンＢｂ、ライズタイム選択ボタンＢｒ、呼吸波形選択ボタンＢｔ、決定ボタンＢｅおよび運転ボタンＢｄ等に対応する各種の機械的な操作ボタンを設けても良い。
【００２７】
次に、図５は図１の呼吸補助装置の概略構成図、図６は図５の呼吸補助装置の要部の回路ブロック図である。なお、図５において、白抜きの矢印は気体の流れを、線状の矢印は電気の流れを示している。
【００２８】
呼吸補助装置１は、気体圧回路部（気体吐出手段）Ａと、制御回路部（制御手段）Ｃとを有している。気体圧回路部Ａは、患者にとって吸気となる気体を生成して吐出する回路部であり、取り入れ口５と、ブロワ（送風手段）６と、制御バルブ（気体制御手段）７と、流量測定部８の測定管Ｐと、吐出口４と、ホース９と、マスク１０とを有している。一方、制御回路部Ｃは、上記のようにして設定された吐出圧パターンに応じて、気体圧回路部Ａから吐出される気体の吐出状態を制御する回路部であり、主制御部ＭＣと、ブロワ６のブロワ用モータＭ１と、ブロワ圧センサ(第１の検出手段)Ｓ１と、制御バルブ７のバルブ用モータＭ２と、流量測定部８の差圧センサ（第２の検出手段）Ｓ２と、吐出圧センサ（第３の検出手段）Ｓ３と、表示装置３とを有している。なお、呼吸補助装置１の制御回路部Ｃは、交流電源用のアダプタＡＰを介して家庭用の交流電源（ＡＣ１００Ｖ）ＰＳ等に電気的に接続される。
【００２９】
気体圧回路部Ａの取り入れ口５は、呼吸補助装置１の筐体２の外部の気体を筐体２の内部に取り入れるための開口部であり、筐体２の長手方向の他端面（吐出口４が配置された面の対向面）に設けられている。この取り入れ口５には、筐体２の内部に取り入れる気体を清浄化するために気体中のゴミや塵埃等のような異物を除去するフィルタ（図示せず）が設けられている。
【００３０】
取り入れ口５の下流にはブロワ６が設置されている。ブロワ６は、呼吸補助装置１の外部の気体を、取り入れ口５から取り入れ圧縮して下流に送る送風機であり、羽部Ｆとブロワ用モータＭ１とを有している。ブロワ６の羽部Ｆは、その回転運動により気体を筐体２内に取り入れて圧送する部材であり、ブロワ用モータＭ１と機械的に接続されている。ブロワ６に代えてファン等のような他の送風機を使用しても良い。
【００３１】
ブロワ６の下流にはブロワ圧センサＳ１を介して制御バルブ７が設置されている。ブロワ圧センサＳ１は、ブロワ６から圧送された気体の圧力を検出するセンサである。制御バルブ７は、気体の流量・圧力を制御するバルブであり、弁体Ｖとバルブ用モータＭ２とを有している。制御バルブ７の弁体Ｖは、気体流路の開口量を変えることにより気体の流量・圧力を制御する部材であり、バルブ用モータＭ２と機械的に接続されている。
【００３２】
制御バルブ７の下流には流量測定部８が設置されている。流量測定部８は、ブロワ６から制御バルブ７を介して送られた気体の流量を測定する測定器であり、測定管Ｐと差圧センサＳ２とを有している。測定管Ｐは、制御バルブ７を介して送られた気体を流す配管である。この測定管Ｐには、気体の流れる方向に沿って所定の長さだけ離れた位置に設置された２つの分岐管を通じて差圧センサＳ２が接続されている。差圧センサＳ２は、測定管Ｐ内において気体の流れる方向に沿って所定の長さだけ離れた２箇所の気体圧の差（２つの分岐管から送られる気体の圧力差）を検出するセンサである。
【００３３】
流量測定部８の下流には吐出圧センサＳ３を介して吐出口４が設置されている。吐出圧センサＳ３は、流量測定部８から送られた気体の圧力（吐出圧）を検出するセンサである。吐出口４は、ホース９を介してマスク１０に接続されている。ホース９は、吐出口４から吐出された気体をマスク１０に送る部材であり、可撓性を有するゴムまたはプラスチック等により形成されている。マスク１０は、吐出口４からホース９を介して送られた気体を患者に供給する部材であり、患者の鼻、口またはその両方を覆うように形成されている。
【００３４】
一方、制御回路部Ｃの主制御部ＭＣは、呼吸補助装置１の全体の電気的な動作を制御する装置であり、ＣＰＵ（Ｃｅｎｔｒａｌ  Ｐｒｏｃｅｓｓｉｎｇ  Ｕｎｉｔ）２０と、ＲＯＭ（Ｒｅａｄ  Ｏｎｌｙ  Ｍｅｍｏｒｙ）２１と、ＲＡＭ（Ｒａｎｄｏｍ  Ａｃｃｅｓｓ  Ｍｅｍｏｒｙ）２２と、ブロワ用駆動回路２３と、バルブ用駆動回路２４と、ブロワ圧検出回路２５と、差圧検出回路２６と、吐出圧検出回路２７と、表示装置制御回路２８と、電源回路３０と、これらを相互に電気的に接続するバスライン３１とを有している。
【００３５】
ＣＰＵ２０は、ＲＯＭ２１内に記憶されたソフトウェア（制御プログラム）に従って、ブロワ用駆動回路２３、バルブ用駆動回路２４、ブロワ圧検出回路２５、差圧検出回路２６、吐出圧検出回路２７、表示装置制御回路２８、電源回路３０等のような各回路を管理し、その動作を制御する回路である。
【００３６】
ＲＯＭ２１には、呼吸補助装置１の動作を制御するための制御プログラムの他、ライズタイムに対応する数値のデータおよび吐出圧パターンの波形種類のデータ等が格納されている。ＲＡＭ２２には、ＣＰＵ２０が動作する上で必要となる各種データが一時的に格納される。このＲＡＭ２２に格納される各種データには、上記のようにして設定された吐出圧パターンのデータも含まれる。
【００３７】
ブロワ用駆動回路２３は、上記したブロワ用モータＭ１を駆動する回路であり、ブロワ用モータＭ１と電気的に接続されている。主制御部ＭＣは、ブロワ用駆動回路２３を通じてブロワ用モータＭ１の回転動作を制御することが可能になっている。
【００３８】
バルブ用駆動回路２４は、上記したバルブ用モータＭ２を駆動する回路であり、バルブ用モータＭ２と電気的に接続されている。主制御部ＭＣは、バルブ用駆動回路２４を通じてバルブ用モータＭ２の回転動作を制御することが可能になっている。
【００３９】
ブロワ圧検出回路２５は、上記したブロワ圧センサＳ１を制御するとともに、ブロワ圧センサＳ１で検出された検出データをＲＡＭ２２等に送信する回路であり、上記したブロワ圧センサＳ１と電気的に接続されている。主制御部ＭＣは、ブロワ圧センサＳ１およびブロワ圧検出回路２５を通じて、ブロワ６の送風により生成された気体の圧力を測定することが可能になっている。
【００４０】
差圧検出回路２６は、上記した流量測定部８の差圧センサＳ２を制御するとともに、差圧センサＳ２で検出された検出データをＲＡＭ２２等に送信する回路であり、差圧センサＳ２と電気的に接続されている。主制御部ＭＣは、差圧センサＳ２および差圧検出回路２６を通じて、ブロワ６から流量測定部８に送られた気体の流量を測定することが可能になっている。
【００４１】
吐出圧検出回路２７は、上記した吐出圧センサＳ３を制御するとともに、吐出圧センサＳ３で検出された検出データをＲＡＭ２２等に送信する回路であり、吐出圧センサＳ３と電気的に接続されている。主制御部ＭＣは、吐出圧センサＳ３および吐出圧検出回路２７を通じて、呼吸補助装置１の吐出口４から吐出される気体の圧力を測定することが可能になっている。
【００４２】
表示装置制御回路２８は、上記した表示装置３を制御するとともに、表示装置３の各種の操作ボタン（戻るボタンＢｂ、ライズタイム選択ボタンＢｒ、呼吸波形選択ボタンＢｔ、決定ボタンＢｅおよび運転ボタンＢｄ）による入力信号をＣＰＵ２０に送信する回路であり、上記した表示装置３と電気的に接続されている。主制御部ＭＣは、文字や画像等のような所望の情報を表示装置制御回路２８を通じて表示装置３の表示画面に表示する構成になっている。なお、上記したアダプタＡＰは、主制御部ＭＣの電源回路３０に電気的に接続されている。
【００４３】
次に、呼吸補助装置１の動作例を図５および図６を参照して説明する。
【００４４】
まず、呼吸補助装置１の運転ボタンＢｄを押して運転を開始すると、ＲＯＭ２１内に記憶されたソフトウェア（制御プログラム）に従ってＣＰＵ２０が動作を開始する。ここで、操作者は、患者への呼吸補助装置１の使用に先立って、呼吸補助装置１から発生させる気体の圧力波形が患者に適した波形になるように吐出圧パターンを設定する。この吐出圧パターンの設定に際しては、呼吸補助装置を実際に駆動（運転）し、そのときの患者の状態、意見等に基づいて吐出圧パターンの波形を変更（修正）する。吐出圧パターンの変更（修正）に際しては、表示装置３の表示画面に変更前の吐出圧パターンＷ１と、変更後の吐出圧パターンＷ２とを表示する。これにより、患者に適した吐出圧パターンを決定する。このとき、決定された吐出圧パターンのデータは、ＲＡＭ２２に格納される。
【００４５】
ところで、発明者の検討によれば、吐出圧パターンの設定に際して吐出圧パターンの変更は、吐出圧パターンのライズライムを変更することで行っており、そのライズタイムの変更は、ライズタイムに対応する数値を選択することで行っている。しかし、ライズタイムに対応する数値を選択することによりライズタイムを変更して吐出圧パターンの波形を変更する場合、吐出圧パターンの変更（修正）の前後で波形の変化が分かり難いので、患者に適した吐出圧パターンにするために、どのように吐出圧パターンの波形を変更（修正）したら良いのかが分かり難い。このため、患者の状態の改善と苦痛や不快感の軽減の両方を満足する患者に適した吐出圧パターンの設定には、時間と患者の苦痛、不快感を伴う場合があり非常に難しい、という問題がある。
【００４６】
これに対して、本実施の形態においては、変更前後の吐出圧パターンＷ１，Ｗ２を表示装置３の表示画面に表示することができるので、変更前後の吐出圧パターンＷ１，Ｗ２の波形を視覚的に把握および比較することができる。このため、どのように吐出圧パターンの波形を変更（修正）したら患者に適した吐出圧パターンを得ることができるかを容易に認識することができる。すなわち、吸補助装置１の吐出圧パターンを、より患者に適した吐出圧パターンに短時間で設定することができる。このため、吐出圧パターンの選択と設定の際の患者および医療機関の時間的な負担を軽減できる。また、患者の苦痛や不快感を軽減することができる。
【００４７】
上記のようにして患者に適した吐出圧パターンを呼吸補助装置１に設定した後、呼吸補助装置１のマスク１０を患者に装着し、呼吸補助装置１の運転ボタンＢｄを押して患者への使用を開始する。呼吸補助装置１の使用時の動作は、以下の通りである。すなわち、呼吸補助装置１の運転ボタンＢｄを押すと、ＣＰＵ２０は、上記制御プログラムと、設定された吐出圧パターンのデータとに基づいて、ブロワ用駆動回路２３およびバルブ用駆動回路２４を通じてブロワ用モータＭ１およびバルブ用モータＭ２を制御することにより、所望の吐出圧パターンの気体を生成する。この際、ＣＰＵ２０は、ブロワ圧センサＳ１、差圧センサＳ２および吐出圧センサＳ３の各部で得られた気体圧の検出データを参照することにより、所望の吐出圧パターンが得られるようにブロワ用モータＭ１およびバルブ用モータＭ２の動作をブロワ用駆動回路２３およびバルブ用駆動回路２４を通じて調節する。
【００４８】
ここで、所望の吐出圧パターンを得るための気体圧および気体流量の調節は、ブロワ６または制御バルブ７の少なくとも一方により行う。ブロワ６のみで気体圧および気体流量を調節する場合は、制御バルブ７の弁体Ｖによる気体流路の開口量を一定にした状態で、ブロワ６の羽部Ｆの回転量をブロワ用モータＭ１の調節により変えることで行う。この場合、制御バルブ７を設けないことで呼吸補助装置１のコストを低減することができる。
【００４９】
また、制御バルブ７のみで気体圧および気体流量を調節する場合は、ブロワ６からの気体圧および気体流量を一定にした状態で、制御バルブ７の弁体Ｖによる気体流路の開口量をバルブ用モータＭ２の調節により変えることで行う。これにより、気体圧の調節に制御バルブ７を使用しない場合に比べて、吐出圧パターンの波形の成形精度を向上させることができる。
【００５０】
さらに、ブロワ６および制御バルブ７の両方で気体圧および気体流量を調節する場合は、ブロワ６の羽部Ｆの回転量をブロワ用モータＭ１の調節により変えるとともに、制御バルブ７の弁体Ｖによる気体流路の開口量をバルブ用モータＭ２の調節により変えることで行う。これにより、吐出圧パターンの波形の成形精度をさらに向上させることができる。
【００５１】
以上、本発明者によってなされた発明を実施の形態に基づき具体的に説明したが、本明細書で開示された実施の形態はすべての点で例示であって、開示された技術に限定されるものではない。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００５２】
例えば、前記実施の形態では、吐出圧パターンの立ち上がり時間であるライズライムを変更する場合について説明したが、これに限定されるものではなく、吐出圧パターンＷの立ち下がり時間であって、吸気圧（ＩＰＡＰ）から呼気圧（ＥＰＡＰ）に達する時間（フォールタイム）をライズタイムと同様に変更することで吐出圧パターンの波形を変更することもできる。例えば、図７に示すように、吐出圧パターンのフォールタイムは、それに対応する数値を増やすほど長くなるようになっており、「フォールタイム：３」に設定した吐出圧パターンＷ７のフォールタイムＴｆ３の方が、「フォールタイム：２」に設定した吐出圧パターンＷ８のライズタイムＴｆ２よりも長くなる。もちろん、ライズタイムとフォールタイムとの両方を変更しても良い。
【００５３】
また、呼吸補助装置により吐出される気体は空気に限定されるものではなく、例えば、空気に酸素を添加した気体など、患者の呼吸を補助する気体であれば良い。
【産業上の利用可能性】
【００５４】
以上の説明では、本発明の呼吸補助装置を在宅用の呼吸補助装置に適用した場合について説明したが、これに限定されるものではなく、例えば、医療機関で使用される人工呼吸器など、種々の呼吸補助装置に適用することができる。
【符号の説明】
【００５５】
１  呼吸補助装置
２  筐体
３  表示装置
４  吐出口
５  取り入れ口
６  ブロワ
７  制御バルブ
８  流量測定部
９  ホース
１０  マスク
２０  ＣＰＵ
２１  ＲＯＭ
２２  ＲＡＭ
２３  ブロワ用駆動回路
２４  バルブ用駆動回路
２５  ブロワ圧検出回路
２６  差圧検出回路
２７  吐出圧検出回路
２８  表示装置制御回路
３０  電源回路
３１  バスライン
Ａ  気体圧回路部
Ｃ  制御回路部
ＭＣ  主制御回路部
Ｆ  羽部
Ｖ  弁体
Ｐ  測定管
Ｍ１  ブロワ用モータ
Ｍ２  バルブ用モータ
Ｓ１  ブロワ圧センサ
Ｓ２  差圧センサ
Ｓ３  吐出圧センサ
Ｗ，Ｗ１〜Ｗ６  吐出圧パターン
Ｔｒ,Ｔｒ２，Ｔｒ３  ライズタイム
ＡＰ  アダプタ
ＰＳ  交流電源
Ｂｂ  戻るボタン
Ｂｒ  ライズタイム選択ボタン
Ｂｔ  呼吸波形選択ボタン
Ｂｅ  決定ボタン
Ｂｄ  運転ボタン
【図１】
2016123555.tif 000003
【図２】
2016123555.tif 000004
【図３】
2016123555.tif 000005
【図４】
2016123555.tif 000006
【図５】
2016123555.tif 000007
【図６】
2016123555.tif 000008
【図７】
2016123555.tif 000009